(57)【要約】【課題】支柱にサイドフレームと連結フレームを同時に連結して支柱を３点支持方式で支持して堅固な骨組構造を有する折畳式六角テントを提供する。【解決手段】平面視で六角形の天幕の各頂点上に配置され、地面に対して天幕を支持する支柱（２）と、両端が二つの支柱にヒンジで結合され、隣接した二つの支柱（２）間の距離を縮小させるか増大させることができるように連結するサイドフレーム（３）と、前記天幕の中心部を垂直に支持するルーフフレーム（４）と、一端が前記各支柱（２）の上部にヒンジで結合され、他端が前記ルーフフレーム（４）の下部にヒンジで結合され、各支柱とルーフフレーム間の距離を縮小させるか増大させることができるように連結する連結フレーム（５）とを含む。本発明によれば、同じ長さの折畳式フレームを用いて３点支持方式で支柱（２）を連結することにより、テント骨組のよじれを防止し、組立便宜性を向上させ、広い日よけ空間を提供することができる効果がある。【選択図】図２
2019194423.tif 000002
【特許請求の範囲】
【請求項１】
平面視で六角形の天幕の各頂点上に配置され、地面に対して天幕を支持する支柱（２）と、
直線形状に一体に形成され、両端が二つの支柱にヒンジで結合され、隣接した二つの支柱（２）間の距離を縮小させるか増大させることができるように連結するサイドフレーム（３）と、
前記天幕の中心部を垂直に支持するルーフフレーム（４）と、
直線形状に一体に形成され、一端が前記各支柱（２）の上部にヒンジで結合され、他端が前記ルーフフレーム（４）の下部にヒンジで結合され、各支柱とルーフフレーム間の距離を縮小させるか増大させることができるように連結する連結フレーム（５）とを含み、
前記ルーフフレーム（４）は、
直径の小さな上部フレーム（４１）が直径の大きな下部フレーム（４２）の内部にアンテナ方式で収納される構造になって伸縮可能であり、
前記下部フレーム（４２）の下端部には前記上部フレーム（４１）の位置を上下に調節する高さ調節手段（４２２）を備え、
前記下部フレーム（４２）は、
前記下部フレーム（４２）の下部に固定され、前記連結フレーム（５）の他端が回動可能にヒンジで結合されるセンターブラケット（４２１）と、
前記センターブラケット（４２１）の上側に取り付けられ、前記下部フレーム（４２）に沿って上下に昇降可能になるように中央には第２結合孔（４２３ａ）が形成され、外壁には連結フレーム（５）の他端が回動可能にヒンジで結合される第４ヒンジ部（４２３ｂ）が形成された第２スライドブラケット（４２３）とを含み、
前記第４ヒンジ部（４２３ｂ）は、
第１厚さで放射方向に突設され、中央には第１直径の第１貫通孔が形成された第１突出部と、
前記第１厚さより厚い第２厚さで前記第１突出部から所定間隔で離隔して前記第１突出部に平行に放射方向に突設され、中央には前記第１直径より小さい第２直径の第２貫通孔が形成され、前記第１突出部と向き合う面の反対面のエッジに凹部（ｇ）が形成された第２突出部とを含むことを特徴とする、折畳式六角テント。
【請求項２】
前記支柱（２）は、
両側に互いに異なるサイドフレーム（３）がそれぞれ結合され、
平面視で両側サイドフレーム（３）が成す角度を半分する地点に連結フレーム（５）が結合されて３点支持構造をなすことを特徴とする、請求項１に記載の折畳式六角テント。
【請求項３】
前記サイドフレーム（３）と連結フレーム（５）は同じ長さで形成されることを特徴とする、請求項１に記載の折畳式六角テント。
【請求項４】
前記高さ調節手段（４２２）は、
前記下部フレーム（４２）の下端部に空回り可能に垂直に取り付けられ、下端部が下部フレーム（４２）の下方に突設されたネジ棒（４２２ａ）と、
前記ネジ棒（４２２ａ）に螺合され、ネジ棒（４２２ａ）の回転によって前記下部フレーム（４２）の内部で上下に昇降可能に取り付けられた昇降体（４２２ｂ）と、
下端部が前記昇降体（４２２ｂ）の上部に固定され、上端部が前記上部フレーム（４１）の下端部を支持するコイルスプリング（４２２ｃ）とを含み
前記ネジ棒（４２２ａ）の回転によって上部フレーム（４１）の位置を上下に調節することができることを特徴とする、請求項１に記載の折畳式六角テント。
【発明の詳細な説明】
【技術分野】
【０００１】
本発明は折畳式六角テントに関し、より詳しくは同じ長さの折畳式フレームを用いて３点支持方式で支柱を連結することで、テント骨組のよじれを防止し、組立便宜性を向上させ、広い日よけ空間を提供することができる折畳式六角テントに関する。
【背景技術】
【０００２】
一般に、屋外で日光と雨を避けるために使われる折畳式テントは、図１に示したように、伸縮可能であり、地面に対してテントを支持する４個の支柱Ａと、各支柱Ａの間で“Ｘ”字形に回動可能に互いに交差するサイドフレームＢと、天幕屋根の中心部を支持するルーフフレームＣと、前記サイドフレームＢとルーフフレームＣを互いに連結して“Ｘ”字形に回動可能に互いに交差する連結フレームＤとからなる。
【０００３】
このような従来の折畳式テントは、サイドフレームＢと連結フレームＤの折畳構造によって、前記ルーフフレームＣを中心に各支柱Ａを集めれば、嵩が縮小して携帯及び保管が容易になり、反対に各支柱Ａを放射状に広げれば、テントの骨格形態を成しながら天幕が広がることにより、設置及び撤去が迅速で簡便になされるので、屋外で多様な行事を進行するときに広く使われる。
【０００４】
ところが、従来技術の折畳式テントは構造的に多くの欠点がある。
第一、４個の支柱を備えて、平面視で正方形の四角部に配置される各支柱Ａの間を連結するサイドフレームＢとルーフフレームＣの間に連結フレームＤを連結する構造になるため、風の抵抗を多く受け、連結フレームＤを基準にサイドフレームＢの両端部が風によって易しく揺れる欠点がある。
【０００５】
第二、各支柱は支柱と支柱を互いに連結するサイドフレームが両側に連結されて両サイドフレームによって支持される２点支持構造であり、直立安全性が足りなく、前記のようにサイドフレームＢの両端部が搖れることによってテントを構成する骨組が全体的によじれ、風によってテントが易しく倒れる欠点がある。
【０００６】
第三、構造的にサイドフレームＢと連結フレームＤの長さが互いに異なることになる。よって、折畳式テントの製作時、互いに異なる長さのフレームをそれぞれ製作して組み立てなければならないため、組立工程が煩わしくて面倒であり、生産性が落ち、製作コストが増加する欠点がある。
【０００７】
第四、平面視野でテントが正方形を成すから、日光や雨を避けるための天幕の下側の日よけ空間が狭小であって日よけ空間の効率的な活用が困る欠点がある。
【０００８】
第五、広い日よけ空間の形成のために、多数のテントを密着して設置するとき、テントが密着して連結される形態が縦方向又は横方向にだけ可能であるため、日よけ空間を多様な形態に構成することが困る欠点もある。
【先行技術文献】
【特許文献】
【０００９】
【特許文献１】韓国登録実用新案第２０−０２０６７６２号公報
【発明の概要】
【発明が解決しようとする課題】
【００１０】
本発明は前記のような従来技術の問題点を解消するために創案されたもので、支柱にサイドフレームと連結フレームを同時に連結して支柱を３点支持方式で支持して堅固な骨組構造を有するようにすることを目的とする。
【００１１】
また、本発明は、折り畳まれるサイドフレームと連結フレームの長さを同一にすることを目的とする。
【００１２】
また、本発明は、広い日よけ空間の形成が可能な六角形のテントを提供することを目的とする。
【課題を解決するための手段】
【００１３】
上述したような発明の目的を達成するために、本発明の折畳式六角テントは、平面視で六角形の天幕の各頂点上に配置され、地面に対して天幕を支持する支柱と、直線形状に一体に形成され、両端が二つの支柱にヒンジで結合され、隣接した二つの支柱間の距離を縮小させるか増大させることができるように連結するサイドフレームと、前記天幕の中心部を垂直に支持するルーフフレームと、直線形状に一体に形成され、一端が前記各支柱の上部にヒンジで結合され、他端が前記ルーフフレームの下部にヒンジで結合され、各支柱とルーフフレーム間の距離を縮小させるか増大させることができるように連結する連結フレームとを含む。
【００１４】
前記支柱は、両側に互いに異なるサイドフレームがそれぞれ結合され、平面視で両側サイドフレームが成す角度を半分する地点に連結フレームが結合されて３点支持構造をなすことができる。
【００１５】
前記サイドフレームと連結フレームは同じ長さで形成されることができる。
【００１６】
前記ルーフフレームは、直径の小さな上部フレームが直径の大きな下部フレームの内部にアンテナ方式で収納される構造になって伸縮可能であり、前記下部フレームの下端部には前記上部フレームの位置を上下に調節する高さ調節手段を備えることができる。
【００１７】
前記高さ調節手段は、前記下部フレームの下端部に空回り可能に垂直に取り付けられ、下端部が下部フレームの下方に突設されたネジ棒と、前記ネジ棒に螺合され、ネジ棒の回転によって前記下部フレームの内部で上下に昇降可能になる昇降体と、下端部が前記昇降体の上部に固定され、上端部が前記上部フレームの下端部を支持するコイルスプリングとを含み、前記ネジ棒の回転によって上部フレームの位置を上下に調節することができる。
【００１８】
前記下部フレームは、前記下部フレームの下部に固定され、前記連結フレームの他端が回動可能にヒンジで結合されるセンターブラケットと、前記センターブラケットの上部に取り付けられ、前記下部フレームに沿って上下に昇降可能になるように中央には第２結合孔が形成され、外壁には連結フレームの他端が回動可能にヒンジで結合される第４ヒンジ部が形成された第２スライドブラケットとを含むことができる。
【００１９】
前記第４ヒンジ部は、第１厚さで放射方向に突設され、中央には第１直径の第１貫通孔が形成された第１突出部と、前記第１厚さより厚い第２厚さで前記第１突出部から所定間隔で離隔して前記第１突出部に平行に放射方向に突設され、中央には前記第１直径より小さな第２直径の第２貫通孔が形成され、前記第１突出部と見合う面の反対面のエッジに凹部が形成された第２突出部とを含むことができる。
【発明の効果】
【００２０】
本発明の折畳式六角テントは、支柱にサイドフレームと連結フレームを同時に連結して３点支持構造をなして堅固な骨組構造を有するので、骨組のよじれが防止され、それによって強風にもめったに倒れない利点がある。
【００２１】
また、本発明は、折り畳まれるサイドフレームと連結フレームの長さを同じに形成することにより、フレームの製作及び組立が容易であって生産性が向上するとともに製造コストを節減することができる効果がある。
【００２２】
また、本発明は、広い日よけ空間の形成が可能な正六角形のテントを提供することにより、日よけ空間の効率的な活用が可能になる効果がある。
【００２３】
また、本発明は、多数のテントを縦方向、横方向又は対角線方向に互いに密着して設置することができるので、日よけ空間を多様な形態に構成することができる効果がある。
【図面の簡単な説明】
【００２４】
【図１】従来技術の折畳式テントの骨組構造を示した斜視図である。
【図２】本発明の実施例による折畳式六角テントの斜視図である。
【図３】本発明の実施例による折畳式六角テントの骨組構造を示した平面図である。
【図４】本発明の実施例による折畳式六角テントの支柱とサイドフレーム及び連結フレームの結合関係を示した斜視図である。
【図５】本発明の実施例による折畳式六角テントの支柱ブラケットを示した斜視図である。
【図６】本発明の実施例による折畳式六角テントのルーフフレームと連結フレームの結合関係を示した斜視図である。
【図７】本発明の実施例による折畳式六角テントの高さ調節手段を示した正断面図である。
【図８】本発明の実施例による折畳式六角テントの第２スライドブラケットを示した斜視図である。
【図９】本発明の実施例による折畳式六角テントの多様な設置パターンを示した平面図である。
【発明を実施するための形態】
【００２５】
以下、本発明の折畳式六角テントを詳細に説明する。次の説明はこの文書に記載した技術を特定の実施形態に限定しようとするものではなく、本発明の実施例の多様な変更（ｍｏｄｉｆｉｃａｔｉｏｎｓ）、均等物（ｅｑｕｉｖａｌｅｎｔｓ）、及び／又は代替物（ａｌｔｅｒｎａｔｉｖｅｓ）を含むものと理解しなければならない。
【００２６】
図面の説明において、類似の構成要素に対しては類似の参照符号を使うことができ、本発明で使う“第１”、“第２”などの表現は多様な構成要素を順序及び／又は重要度に関係なく修飾することができ、一構成要素を他の構成要素と区分するために使うだけ、該当構成要素を限定しない。
【００２７】
例えば、‘第１部分’と‘第２部分’は手順又は重要度に無関係に、互いに異なる部分を示すことができる。例えば、本発明に記載した権利範囲を逸脱しない範疇内で第１構成要素は第２構成要素と名付けることができ、同様に第２構成要素も第１構成要素と変えて名付けることができる。
【００２８】
また、本発明で使う用語はただ特定の実施例を説明するために使用したものであり、他の実施例の範囲を限定しようとする意図ではない。単数の表現は文脈上はっきり他に指示しない限り、複数の表現を含むことができる。
【００２９】
技術的又は科学的用語を含めてここで使う用語は本発明に記載した技術分野で通常の知識を有する者によって一般的に理解されるものと同一の意味を有することができる。本発明で使う用語のうち一般的な辞書に定義された用語は、関連技術の文脈上で有する意味と同一又は類似の意味と解釈することができ、本発明ではっきり定義しない限り、理想的なあるいは過度に形式的な意味と解釈されない。場合によって、本発明で定義した用語であっても本発明の実施例を排除するように解釈されてはいけないことは言うまでもない。
【００３０】
図２は本発明の実施例による折畳式六角テントの斜視図、図３は本発明の実施例による折畳式六角テントの骨組構造を示した平面図、図４は本発明の実施例による折畳式六角テントの支柱とサイドフレーム及び連結フレームの結合関係を示した斜視図、図５は本発明の実施例による折畳式六角テントの支柱ブラケットを示した斜視図である。
【００３１】
以下、本発明を図２〜図５に基づいて説明する。
【００３２】
本発明の折畳式六角テントは、天幕１、支柱２、サイドフレーム３、ルーフフレーム４及び連結フレーム５を含む。
【００３３】
前記支柱２は平面視で六角形テントの各頂点上に配置され、地面に対して天幕を支持するために、上部支柱２１及び下部支柱２２を含む。
【００３４】
前記上部支柱２１は下部支柱２２より大きな直径を有することにより、直径の小さな下部支柱２２が直径の大きな上部支柱２１の内部にアンテナ方式で収納される構造になって伸縮可能である。
【００３５】
上部支柱２１の下端部には、上部支柱２１の内部に導入される下部支柱２２を固定する第１固定部２３を備えることが好ましい。
【００３６】
前記第１固定部２３は、上部支柱２１の下端部に固定設置されるボス部２３１に上部支柱２１の長手方向に対して直角方向に固定ピン２３２をコイルスプリング２３３で弾設することが好ましい。
【００３７】
したがって、上部支柱２１に下部支柱２２を入れるとか抜き出すとき、固定ピン２３２の内側端部が下部支柱２２の外表面で滑ってから、下部支柱２２に所定間隔で形成された通孔２２１のいずれか一つに弾性的に挿入されれば下部支柱２２が固定される。したがって、固定ピン２３２が挿入される通孔２２１の位置調節によって支柱２の全長が調節可能になる。
【００３８】
上部支柱２１には、支柱ブラケット２１１及び第１スライドブラケット２１２が取り付けられる。
【００３９】
前記支柱ブラケット２１１は、第１結合溝２１１ａ及び第１ヒンジ部２１１ｂを含む。
【００４０】
前記第１結合溝２１１ａは上部支柱２１の上端部が挿入されるように下方に開口部が形成される。
【００４１】
したがって、第１結合溝２１１ａの内部に挿入された上部支柱２１は支柱ブラケット２１１の外壁から上部支柱２１の長手方向に対して直角方向に締結ネジで締め付けて固定する。
【００４２】
前記第１ヒンジ部２１１ｂは支柱ブラケット２１１の外壁に３個が備えられる。
【００４３】
ここで、平面上の中間に位置する第１ヒンジ部を中心に両側の第１ヒンジ部が等角で対称状になるように形成される。
【００４４】
そして、両側第１ヒンジ部には前記サイドフレーム３を構成する複数の折畳片のいずれか一つの折畳片の端部が回動可能にヒンジで結合され、中間の第１ヒンジ部には前記連結フレーム５を構成する複数の折畳片のいずれか一つの折畳片の端部が回動可能にヒンジで
結合される。
【００４５】
前記第１スライドブラケット２１２は前記支柱ブラケット２１１の下側に取り付けられる。
【００４６】
前記第１スライドブラケット２１２は、第１結合孔２１２ａ、第２ヒンジ部２１２ｂ及び第２固定部２１２ｃを含む。前記第１結合孔２１２ａは上部支柱２１が貫くように縦方向に形成されることにより、第１スライドブラケット２１２は上部支柱２１に沿って上下に昇降可能になる。
【００４７】
前記第２ヒンジ部２１２ｂは第１スライドブラケット２１２の外壁に３個が備えられる。
【００４８】
ここで、平面視で中間に位置する第２ヒンジ部を中心に両側第２ヒンジ部が等角で対称状になるように形成される。
【００４９】
そして、両側第２ヒンジ部には前記サイドフレーム３を構成する複数の折畳片のいずれか一つの折畳片の端部が回動可能にヒンジで結合され、中間第２ヒンジ部には前記連結フレーム５を構成する複数の折畳片のいずれか一つの折畳片の端部が回動可能にヒンジで結合される。
【００５０】
前記第２固定部２１２ｃは、前記上部支柱２１の下端部に形成された第１固定部２３と同様に、第１スライドブラケット２１２の下端部に上部支柱２１の長手方向に対して直角方向に固定ピンＰを弾設することが好ましい。
【００５１】
したがって、第１スライドブラケット２１２が上部支柱２１の上下方向に移動するとき、固定ピンＰの内側端部が上部支柱２１の外表面で滑ってから、上部支柱２１に形成された通孔に弾性的に挿入されれば、第１スライドブラケット２１２の位置が固定される。
【００５２】
よって、折畳可能なサイドフレーム３と連結フレーム５がまったく広がった状態で固定される。
【００５３】
したがって、各支柱２は両側にサイドフレーム３が結合され、平面視で両側サイドフレーム３が成す角度を半分する地点に連結フレーム５が結合されて３点支持構造になることにより、支柱２が堅固に支持されることができる。
【００５４】
前記サイドフレーム３は折畳可能になって、二つの隣接した支柱２間の距離を縮小させるか増大させることができるように連結する。
【００５５】
すなわち、サイドフレーム３は“Ｘ”字形に回動可能に互いに交差する二つの折畳片３１から構成されて折畳可能になる。
【００５６】
ここで、サイドフレーム３が取り付けられる二つの隣接した支柱２間の距離によって折畳式のサイドフレーム３を長手方向に多数連結して“ＸＸ”形又は“ＸＸＸ”形に使うことも可能であることは言うまでもない。
【００５７】
前記のようなサイドフレーム３の構成において、二つの折畳片が一組をなす一つのサイドフレーム３を使う場合には総重量を減少させることができるが、各折畳片の高い機械的強度が要求される。
【００５８】
一方、多数のサイドフレーム３を連結して使用する場合には、サイドフレーム３を構成する折畳片の機械的強度を低めることができるが、総重量が増加する。
【００５９】
図６は本発明の実施例による折畳式六角テントのルーフフレームと連結フレームの結合関係を示した斜視図、図７は本発明の実施例による折畳式六角テントの高さ調節手段を示した正断面図、図８は本発明の実施例による折畳式六角テントの第２スライドブラケットを示した斜視図である。
【００６０】
以下、本発明を図２〜図８に基づいて説明する。
【００６１】
前記ルーフフレーム４は、前記天幕の中心部を垂直に支持するために、上部フレーム４１及び下部フレーム４２を含む。
【００６２】
前記上部フレーム４１は下部フレーム４２より小さな直径を有することにより、直径の小さな上部フレーム４１が直径の大きな下部フレーム４２の内部にアンテナ方式で収納される構造になって伸縮可能である。
【００６３】
また、上部フレーム４１の上端部には天幕の中心部を支えて天幕を支持する支持ヤップ４１１が備えられる。
【００６４】
下部フレーム４２は、センターブラケット４２１、高さ調節手段４２２及び第２スライドブラケット４２３を備える。
【００６５】
前記センターブラケット４２１は下部フレーム４２の下端部に取り付けられる。
【００６６】
前記センターブラケット４２１は、第２結合溝４２１ａ及び第３ヒンジ部４２１ｂを含む。前記第２結合溝４２１ａは、下部フレーム４２の下端部が挿入されるように、上方に開口部が形成される。
【００６７】
したがって、第２結合溝４２１ａの内部に挿入された下部フレーム４２はセンターブラケット４２１の外壁から下部フレーム４２の長手方向に対して直角方向に締結ネジで固定する。
【００６８】
前記第３ヒンジ部４２１ｂはセンターブラケット４２１の外壁に６個が平面視で放射状に形成される。
【００６９】
そして、各第３ヒンジ部には前記放射状に配置される連結フレーム５を構成する複数の折畳片のいずれか一つの折畳片の端部が回動可能にヒンジで結合される。
【００７０】
前記高さ調節手段４２２は、ネジ棒４２２ａ、昇降体４２２ｂ及びコイルスプリング４２２ｃを含む。
【００７１】
前記ネジ棒４２２ａは前記下部フレーム４２の下端部に空回り可能に垂直に取り付けられ、下端部が下部フレーム４２の下方に突出する。
【００７２】
前記下端部には、前記ネジ棒４２２ａを容易に回転させるためのハンドル４２２ｄを備えることが好ましい。
【００７３】
前記昇降体４２２ｂは前記ネジ棒４２２ａに螺合され、ネジ棒４２２ａの回転によって前記下部フレーム４２の内部で上下に昇降可能になる。
【００７４】
前記ネジ棒４２２ａの回転による昇降体４２２ｂの円滑な昇降のために、昇降体４２２ｂの平断面形状は、前記下部フレーム４２の平断面と同じ多角形に形成することが好ましい。
【００７５】
前記コイルスプリング４２２ｃは下端部が前記昇降体４２２ｂの上部に固定され、上端部は前記上部フレーム４１の下端部を支持する。
【００７６】
したがって、前記上部フレーム４１の上端部に取り付けられた支持ヤップ４１１によって天幕１を支持する過程で風によって天幕１が搖れるとき、前記上部フレーム４１の下端部を支持するコイルスプリング４２２ｃの弾性力によって上部フレーム４１が上下に振動しながら風による天幕の搖れを吸収又は緩和する。
【００７７】
また、前記ネジ棒４２２ａを順方向又は逆方向に回転させれば、ネジ棒４２２ａに螺合された前記昇降体４２２ｂがネジ棒４２２ａの回転方向によって昇降することにより、昇降体４２２ｂの上端部に固定されたコイルスプリング４２２ｃが昇降体４２２ｂとともに昇降する。
【００７８】
ここで、コイルスプリング４２２ｃの上端部には前記上部フレーム４１の下端部が載置されているので、コイルスプリング４２２ｃの昇降によって上部フレーム４１もともに昇降することになる。
【００７９】
したがって、下部フレーム４２の内部にアンテナ方式で収納される上部フレーム４１の位置を上下に調節することができるようになり、上部フレーム４１によって支持される天幕の中心の位置調節によって、下端部が前記支柱２に固定されたテントの緊張状態を調節することができるようになる。
【００８０】
前記第２スライドブラケット４２３は前記センターブラケット４２１の上側に取り付けられる。
【００８１】
前記第２スライドブラケット４２３は、第２結合孔４２３ａ及び第４ヒンジ部４２３ｂを含む。
【００８２】
前記第２結合孔４２３ａは下部フレーム４２が貫くように縦方向に形成されることにより、第２スライドブラケット４２３が下部フレーム４２に沿って上下に昇降可能になる。
【００８３】
前記第４ヒンジ部４２３ｂは第２スライドブラケット４２３の外壁に６個が平面視で放射状に形成される。
【００８４】
そして、各第４ヒンジ部には前記連結フレーム５を構成する複数の折畳片のいずれか一つの折畳片の端部が回動可能にヒンジで結合される。
【００８５】
一方、前記のように第３及び第４ヒンジ部４２１ｂ、４２３ｂに折畳片の端部を結合するに当たり、隣り合うさらに他のヒンジ部による干渉を防止するために、それぞれの第３及び第４ヒンジ部４２１ｂ、４２３ｂの外側端部には内向きに凹んでいる凹部ｇを形成することができる。
【００８６】
前記連結フレーム５は折畳可能になることで、前記各支柱２の上部と前記ルーフフレーム４の下部間の距離を縮小させるか増大させることができるように連結する。
【００８７】
すなわち、連結フレーム５は、前記サイドフレーム３と同様に、“Ｘ”字形に回動可能に互いに交差する二つの折畳片５１から構成されて折畳可能になる。
【００８８】
ここで、連結フレーム５が取り付けられる各支柱２の上部と前記ルーフフレーム４の下部間の距離によって折畳式の連結フレーム５を長手方向に多数連結して“ＸＸ”形又は“ＸＸＸ”形にして使うことも可能であるのは言うまでもない。
【００８９】
一方、前記サイドフレーム３の長さ（Ｄ１）と連結フレーム５の長さ（Ｄ２）は同一に形成する。
【００９０】
すなわち、図３のように、平面視で二つの隣接した支柱２を互いに連結する全てのサイドフレーム３の長さ（Ｄ１）を同じに形成することで、平面視で全てのサイドフレーム３が正六角形の形態を成すようにする。
【００９１】
また、各支柱２とルーフフレーム４を互いに連結する連結フレーム５の長さ（Ｄ２）を前記サイドフレーム３と同じ長さで形成する。
【００９２】
このように折畳式のサイドフレーム３と連結フレーム５を構成する全ての折畳片の長さが同じに構成されることにより、サイドフレーム３と連結フレーム５の組立生産時、サイドフレーム３と連結フレーム５を構成する全ての折畳片を共用することができるようになる。
【００９３】
したがって、サイドフレーム３と連結フレーム５の組立生産時、長さの区分が不必要になるので、組立の便宜性及び生産性が大幅向上する。
【００９４】
図９は本発明の実施例による折畳式六角テントの多様な設置パターンを示した平面図である。
【００９５】
以下、本発明を図９に基づいて説明する。
【００９６】
本発明の折畳式六角テントは平面視で正六角形に形成される。
【００９７】
数学的観点で見るとき、六角形は非常に有用な図形である。すなわち、同じ長さの線で三角形、四角形、六角形を作れて見ると、最大面積を有する図形がまさに六角形である。
【００９８】
したがって、本発明の折畳式六角テントは従来の一般的な四角形テントより大きな日よけ面積を提供するだけでなく、より効率的な日よけ空間の活用が可能になる。
【００９９】
また、多数のテントを設置するときには、多数のテントを完全に広げた後、互いに接するように配置することにより、テントとテント間の離隔なしに堅固で緊密にきちんと整列されるので、多数のテントの設置が容易になる。
【０１００】
また、多数のテントを設置するとき、六角形の辺が接する構造は縦方向、横方向、対角線方向などの多様な方向に美しいパターンを形成して多様で神秘な雰囲気を提供する。
【０１０１】
以上は本発明の実施例に基づいて説明したもので、本発明は以上で説明した実施例に限定されるものではなく、本発明の技術思想の範囲内で当業者によって多様な変形が可能であることが明らかであり、本発明の実施例の説明で本発明の構成による作用及び効果を明示的に記載して説明しなかったとしても、該当構成によって予測可能な効果も認められなければならないことは言うまでもない。
【符号の説明】
【０１０２】
１      天幕
２      支柱
２１    上部支柱
２１１  支柱ブラケット
２１２  第１スライドブラケット
２２    下部支柱
２３    第１固定部
３      サイドフレーム
４      ルーフフレーム
４１    上部フレーム
４１１  キャップ
４２    下部フレーム
４２１  センターブラケット
４２２  高さ調節手段
４２３  第２スライドブラケット
５      連結フレーム
【図１】
2019194423.tif 000003
【図２】
2019194423.tif 000004
【図３】
2019194423.tif 000005
【図４】
2019194423.tif 000006
【図５】
2019194423.tif 000007
【図６】
2019194423.tif 000008
【図７】
2019194423.tif 000009
【図８】
2019194423.tif 000010
【図９】
2019194423.tif 000011